(57)【要約】【課題】融雪・保温性能が良好であり、融雪システムに基づく影ができず、組立て施工が簡便で、材料費・建設費が安く、長期使用に耐え得る融雪ダクトおよび融雪システムの提供。【解決手段】給気口と、排気口としてダクトの外側に延びた二枚の端部ウイングの重ね合わせ領域に間隙を有する透明樹脂フィルム製の融雪ダクト、好ましくは該ダクト内に透明樹脂フィルム製のチューブを留置した融雪ダクトと、該ダクトを向い合う透明樹脂フィルム製の屋根の谷部に設置し、該ダクト、好ましくはチューブに温暖な空気を供給して、屋根の上の雪を融解し、該間隙から空気を排出するとともに、融雪水を該ダクトの上面に設けた集水口から排水樋を通して排水する融雪システム。【選択図】図３
2004000061.tif 000002
【特許請求の範囲】
【請求項１】
温暖な空気を供給する給気口と、空気を排出する排気口を有する透明樹脂フィルム製の融雪ダクト。
【請求項２】
排気口を有する透明樹脂フィルム製の融雪ダクト内に、給気口と、周面に気体噴出口を設けた透明樹脂フィルム製チューブを留置した透明樹脂フィルム製の融雪ダクト。
【請求項３】
融雪ダクトが二枚の透明樹脂フィルムにより構成され、排気口が該フィルムの端部ウイングの重ね合わせ領域の間隙であり、供給された温暖な空気を該排気口から排出する請求項１または２に記載の融雪ダクト。
【請求項４】
融雪ダクトの上面側に集水口を有し、集水口に連結して下方に延長された排水樋を有する請求項１、２または３に記載の融雪ダクト。
【請求項５】
透明樹脂フィルムで屋根を構築した簡易建造物の屋根の谷部または軒に、請求項１〜４のいずれかに記載の融雪ダクトを設置し、温暖な空気を融雪ダクト内に供給し、融雪ダクトを膨張状態に維持しつつ、融雪ダクトに供給された空気を融雪ダクトから排出する融雪システム。
【請求項６】
透明樹脂フィルムで屋根を構築した簡易建造物の屋根の谷部または軒に、請求項２、３または４に記載の融雪ダクトを設置し、温暖な空気をチューブの給気口から供給し、チューブに設けた気体噴出口から噴出させて、融雪ダクトに供給し、融雪ダクトを膨張状態に維持しつつ、融雪ダクトに供給された空気を、融雪ダクトから排出する融雪システム。
【請求項７】
透明樹脂フィルムで屋根を二重に構築した簡易建造物の屋根の谷部または軒に請求項２、３または４に記載の融雪ダクトを設置し、温暖な空気をチューブの給気口から供給し、チューブに設けた気体噴出口から融雪ダクト内に噴出させて、融雪ダクトに供給し、融雪ダクトを膨張状態に維持しつつ、融雪ダクトに供給された空気を、融雪ダクトから排出するとともに、屋根を構築する二重フィルムの空間に、別途温暖な空気を供給し、該空間に供給された空気を排気口から排出する融雪システム。
【発明の詳細な説明】
【０００１】
【発明の属する技術分野】
本発明は、温室などの簡易建造物、特に連棟式簡易建造物の屋根、天井に堆積した雪を融解したり、室内を保温するのに適した融雪ダクトおよびそれを組込んだ融雪システムに関する。
【０００２】
【従来の技術】
従来、植物の栽培を促進する温室の融雪装置としては、温室の屋根部の外側に散水用配管を配設し、地下水や温水を供給して散布する融雪装置が知られている（特開昭６３−２６３０２１号公報など）。しかし、この装置は、散水用配管が屋外に露出しているため、冬の夜間などには、配管内の水抜きを行なわなければ、凍結して配管を損傷する欠点がある。
【０００３】
また、傾斜した屋根上の雪を樋に向けて滑落させ、樋の近くに設置した融雪手段で滑落した雪を溶かす除雪装置が知られている（特開平９−１０７８０６号公報など）。この装置の滑落は、空調装置により温室内を暖房し、被覆材（ガラス板、硬質合成樹脂板など）で形成された屋根を暖め、屋根の上の積雪を融解し、徐々に積雪を樋の方向に移動する方式である。また、この装置の樋には、孔が開いた温湯管と温水管が予め設置されており、温湯管に湯水を通すことにより、雪のブリッジを破壊し、かつ温水管の孔から噴出する温水が積雪を融解する方式である。屋根は板であり、一重であり、屋根上の積雪を融解するための熱源は温室内の暖気である。この方式では、ノズルが凍結し、雪を全部融かしきれずに、積もった雪がトンネル状になる、融雪が不十分である、ノズルにごみが詰まる、空気ではなく、水を用いて融雪するので、強力なポンプが必要になるなどの問題がある。
【０００４】
また、連棟ハウスの屋根の谷部に、樋を取付け、樋に温水循環パイプを設置し、かつ谷部の近傍の室内に温風ダクトを配置して、温風を谷部に向けて噴出する融雪装置が提案されている（特開平１１−２４３７８９号公報など）。この装置では、プラスチックフィルムで覆われた屋根の上の積雪は、温風暖房機により暖房された温室内の暖気により融解され、平滑なフィルム上を滑り落ちる。滑り落ちる雪の一部は、樋に溜まるが、温水パイプを循環する温水により融雪され、樋を伝わって排水される。補助的に温風をフィルムに向けて噴出させれば、樋の上部の雪の空洞部を容易に融解することができ、融雪の完全化または迅速化に有効である。しかし、温風の噴出が局部的なため、融雪が不十分であり、強力なポンプが必要になる、凍結するなどの問題がある。
【０００５】
さらに、連棟ハウスの屋根の谷部に、Ｖ字型ウイングを有する金属製温風ダクトを形成し、その下面側を温室内に配置し、その上面側を温室外に露出させ、ウイングの上部に屋根用フィルムの下端を接続するとともに、ダクトに温風を送風する融雪装置も提案されている（特開２０００−１３９２３７号公報など）。この装置では、プラスチックフィルムで覆われた屋根の上の積雪は、温風暖房機により暖房された温室内の暖気により融解され、平滑なフィルム上を滑り落ちる。滑り落ちる雪の一部は、ダクトの上面部（樋）に溜まるが、ダクト内を流通する温風は主として上面部および、その温風の一部がダクト側面の孔から噴出し、ウイングを加熱する。これにより、樋に溜まったかなりの量の積雪を迅速に融解することができる。ダクトが金属製であるため、ダクトの影が温室内の植物上にできる。影ができる部分では、植物の生育が不十分となり、商品価値が高い作物が得られない。そのため、影発生部分での植栽を中止して、植栽面積を縮減しなければならない場合の問題もある。金属の腐食の問題もある。
【０００６】
【発明が解決しようとする課題】
したがって、本発明は、従来の融雪装置が有する欠点を解消すること、すなわち、融雪・保温性能が良好である、融雪システムに基づく影ができない、組立て施工が簡便、材料費・建設費が安い、長期使用に耐え得うるような融雪ダクトおよび融雪システムを提供することを目的とする。
【０００７】
【課題を解決するための手段】
本発明の第一は、温暖な空気を供給する給気口と、空気を排出する排気口を有する透明樹脂フィルム製の融雪ダクトである。
【０００８】
本発明の第二は、排気口を有する透明樹脂フィルム製の融雪ダクト内に、給気口と、周面に気体噴出口を設けた透明樹脂フィルム製チューブを、留置した透明樹脂フィルム製の融雪ダクトである。
【０００９】
好ましいのは、融雪ダクトが二枚の透明樹脂フィルムにより構成され、排気口が該フィルムの端部ウイングの重ね合わせ領域の間隙であり、供給された温暖な空気を該排気口から排出する前記の融雪ダクトである。
【００１０】
好ましいのは、融雪ダクトの上面側に集水口を有し、集水口に連結して下方に延長された排水樋を有する前記の融雪ダクトである。
【００１１】
本発明の第三は、透明樹脂フィルムで屋根を構築した簡易建造物の屋根の谷部または軒に、前記のいずれかの融雪ダクトを設置し、温暖な空気を融雪ダクト内に供給し、融雪ダクトを膨張状態に維持しつつ、融雪ダクトに供給された空気を融雪ダクトから排出する融雪システムである。
【００１２】
本発明の第四は、透明樹脂フィルムで屋根を構築した簡易建造物の屋根の谷部または軒に、前記のいずれかの融雪ダクトを設置し、温暖な空気をチューブの給気口から供給し、チューブに設けた気体噴出口から噴出させて、融雪ダクトに供給し、融雪ダクトを膨張状態に維持しつつ、融雪ダクトに供給された空気を、融雪ダクトから排出する融雪システムである。
【００１３】
本発明の第五は、透明樹脂フィルムで屋根を二重に構築した簡易建造物の屋根の谷部または軒に、第一の発明または第二の発明の融雪ダクトを設置し、温暖な空気をチューブの給気口から供給し、チューブに設けた気体噴出口から融雪ダクト内に噴出させて、融雪ダクトに供給し、融雪ダクトを膨張状態に維持しつつ、融雪ダクトに供給された空気を、融雪ダクトから排出するとともに、屋根を構築する二重フィルムの空間に、別途温暖な空気を供給し、該空間に供給された空気を排気口から排出する融雪システムである。
【００１４】
【発明の実施の形態】
本発明の融雪ダクトおよび融雪システムの構造、構成を図面を用いて説明するが、本発明はこれらに限定されない。
本発明の第一は、温暖な空気を供給する給気口と、空気を排出する排気口を有する透明樹脂フィルム製の融雪ダクトである。本発明の融雪ダクトの断面形状は円筒状または角筒状が一般的であるが、これに拘らない。他の形状であっても構わない。角筒状の場合も、角張りが可及的に少ないのが好ましい。本発明の融雪ダクトは二枚のフィルムを、フィルム留め具で挟持して形成した筒状物であるのが好ましいが、二枚のフィルムの周囲を溶着して筒状物にしたものであってもよい。融雪ダクトの長手方向の端部は、フィルム留め具でフィルムを挟持してもよく、フィルムを溶着してもよい。
【００１５】
本発明の融雪ダクト１を図１を用いて説明する。
融雪ダクト１は、角筒状の透明樹脂フィルムからなる。融雪ダクト１の上面および／または側面からは外側に透明樹脂フィルム製の端部ウイング４が延びていて、屋根を構成する透明樹脂フィルムの端部と重ね合わされる。温暖な空気は、給気口２から供給され、融雪ダクト１内の空気は排気口３から排出される。
【００１６】
次に、図２について説明する。
融雪ダクト１は二枚の透明樹脂フィルムを、フィルム留め具４１，４２で挟持した筒状物であり、フィルム留め具４１，４２で挟持された、重ね合わせ領域には間隙が存在する。温暖な空気は、給気口２から供給され、融雪ダクト１内の空気は排気口３の代わりに、該間隙から、融雪ダクト１外へ排出される。
【００１７】
融雪ダクト１の断面の大きさは、簡易建造物の屋根の大きさ、谷部の大きさなどにより左右されるが、円筒状の場合に直径で、好ましくは５〜２００ｃｍ、より好ましくは２５〜１５０ｃｍである。融雪ダクト１の長さは、屋根の奥行き、谷部の奥行きとほぼ同じであることが好ましい。
【００１８】
給気口２および排気口３の口径は好ましくは１〜６０ｃｍ、より好ましくは４〜３０ｃｍである。給気口２は温風暖房機などの温暖な空気を発生する機器から延びたパイプ（図示せず）に連結できるように構成されることが好ましい。
【００１９】
また、融雪ダクト１の上面側は、融雪ダクト１の奥行きの中間部に、図４に示すように、集水口３１が設けられ、集水口３１には下方に延びた排水樋３２が連結してもよい。排水樋３２の自重によって、融雪ダクト１の上面は排水樋３２の方向に傾斜しているので、融雪ダクト１の上の融雪水は集水口３１に向けて自然に流れる。
【００２０】
融雪ダクト１の上面および／または側面からは二枚の透明樹脂フィルムの端部ウイング４が外側に向けて延びている。図５に示すフィルム留め具４１，４２により、二枚の端部ウイング４を重ね合わせ、接合した場合、二枚の端部ウイング４の重ね合わせ領域に僅かながら間隙が形成され、その間隙から空気が融雪ダクト１外に排気される。フィルム留め具としては、市販のスライロック式「スライレール」（商標：東都興業株式会社製）が例示される。フィルム留め具４１，４２の代わりに、重ね合わせた透明樹脂フィルムを溶着によって接合してもよい。その場合には、融雪ダクト１に排気口３を設けるのが好ましい。
【００２１】
透明樹脂フィルムとしては、フッ素樹脂、塩化ビニル樹脂、ポリエステル樹脂、ポリエチレン樹脂などの熱可塑性樹脂のフィルムが使用できるが、フッ素樹脂フィルムが透明性、機械的強度、耐候性、耐紫外線性、耐熱性、溶着性などの点から好ましい。フッ素樹脂としては、エチレン−テトラフルオロエチレン系共重合体（以下、ＥＴＦＥと略記する）、ヘキサフルオロプロピレン−テトラフルオロエチレン系共重合体（以下、ＦＥＰと略記する）、パーフルオロ（アルキルビニルエーテル）−テトラフルオロエチレン系共重合体（以下、ＰＦＡと略記する）、テトラフルオロエチレン−ヘキサフルオロプロピレン−フッ化ビニリデン系共重合体（以下、ＴＨＶと略記する）、ポリフッ化ビニリデン、フッ化ビニリデン−ヘキサフルオロプロピレン系共重合体、ポリフッ化ビニルなどが挙げられる。好ましくはＥＴＦＥ、ＦＥＰおよびＴＨＶからなる群より選ばれる１種以上であり、より好ましくはＥＴＦＥである。フッ素樹脂のフィルムの厚さは、主に樹脂の機械的強度を考慮して決められるが、好ましくは４０〜２００μｍ、より好ましくは５０〜１６０μｍである。
【００２２】
簡易建造物の室内側の透明樹脂フィルムの内側表面には、親水化処理を施し、室内側の水分が透明樹脂フィルム上に結露した場合にも、水滴を流れやすくし、水滴が作物に落下して作物の成長を阻害するなどの影響を少なくするのが好ましい。親水化処理の方法としては、無機質コロイド、親水性樹脂、金属酸化物などの溶液を塗工機でコーティングする方法、スプレーする方法、ケイ素、スズ、チタンなどの金属の酸化物をスパッタリングする方法などが好ましい。
【００２３】
本発明の第二は、排気口を有する透明樹脂製の融雪ダクト１の中に、給気口１２および周面に気体噴出口１３を設けた透明樹脂フィルム製チューブ１１を留置したものであり、これを図３を用いて説明する。
【００２４】
二枚の透明樹脂フィルムで構成した融雪ダクト１の構造、構成、断面形状、断面の大きさ、長さは第一の発明の場合と同じである。図５に示すフィルム留め具４１，４２で挟持してなる融雪ダクト１の二枚の透明樹脂フィルムの端部ウイング４の重ね合わせ領域には間隙が形成されるので、この間隙が融雪ダクト１内の空気の排気口となる。融雪ダクト１自体には、別途の給気口２、別途の排気口３は必要ではないが設けてもよい。給気口２および排気口３の口径は第一の発明の場合と同じである。また給気口２は温風暖房機などの温暖な空気を発生する機器から延びたパイプ２８に連結できるようにするのが好ましい。
【００２５】
チューブ１１の断面形状は円筒状または角筒状が一般的であるが、これに拘らない。他の形状であってもよい。角筒状の場合も、角張りが可及的に少ないのが好ましい。チューブ１１の断面の大きさは、融雪ダクト１の中で移動可能であれば、特に限定されないが、円筒状の場合に直径で、好ましくは２〜１９０ｃｍ、より好ましくは５〜５０ｃｍである。チューブ１１の長さは、融雪ダクト１の長さの１／２〜２／２程度であることが好ましい。チューブ１１を構成する透明樹脂フィルムとしては、融雪ダクト１を構成する透明樹脂フィルムと同じものが使用でき、フッ素樹脂フィルムが好ましい。チューブ１１を構成する透明樹脂フィルムは、融雪ダクト１を構成する透明樹脂フィルムよりは、若干薄手または柔らかめであるのが、チューブ１１が融雪ダクト１内を移動するときに、融雪ダクト１を損傷するおそれが少なく好ましい。
【００２６】
チューブ１１の給気口１２の口径はチューブ１１の直径の１／５〜５／５程度であるのが好ましい。また給気口１２は温風暖房機などの温暖な空気を発生する機器から延びたパイプ２８に連結できるように構成されるのが好ましい。
チューブ１１の周面には、気体噴出口１３が設けられる。気体噴出口１３の数は、２０〜１０００個／ｍ２が好ましく、４０〜４００個／ｍ２がより好ましい。噴出口１３の口径は好ましくは３〜２０ｍｍ、より好ましくは５〜１５ｍｍである。供給された温暖な空気が、気体噴出口１３から噴出して、融雪ダクト１を緊張状態に維持する。
【００２７】
第一の発明と同様に、図４に示すように、融雪ダクト１の上面側のほぼ奥行きの中間部に集水口３１を設け、集水口３１に下方に延びた排水樋３２を連結するように構成すると、融雪ダクト１の上の融雪水が円滑に排水される。
【００２８】
本発明の第三は、透明樹脂フィルムで屋根を構築した簡易建造物２２の屋根２３の谷部２４または軒に、第一の発明または第二の発明の融雪ダクト１を配置し、温暖な空気を融雪ダクト１内に供給し、融雪ダクト１を膨張状態に維持した、簡易建造物２２の屋根２３および融雪ダクト１の上の雪の融雪システム２１であり、これの１例を図６により説明する。
【００２９】
本体フレーム２５と屋根フレーム２６などから構築される連棟式ハウス（簡易構造物）２２において、本体フレーム（支柱）２５の周りに、屋根フレーム２６から地面に至る全面に透明樹脂フイルムを展張し、壁２７が構築される。また、屋根フレーム２６、すなわち際垂木、必要ならば垂木、母屋などの骨組みの上にも、透明樹脂フィルムを展張して、屋根２３が構築される。そして傾斜して向い合う屋根の谷部２４の空間に、谷部２４の奥行きと同じ長さの第一の発明の融雪ダクト１が配置される。
【００３０】
融雪ダクト１の上面および／または側面から外側に延びた二枚の透明樹脂フィルムの端部ウイング４が、屋根を構成する透明樹脂フィルムと重ね合わされ、長尺上のフィルム留め具（図示せず）を用いて接合され、屋根フレーム２６に固定される。これにより、屋根２３と融雪ダクト１は連続し、簡易建造物が構築される。簡易建造物２２の屋根は切妻型の連棟式に限らず、寄棟型、蒲鉾型連棟式の向い合う屋根であってもよい。
【００３１】
上記のように融雪ダクト１を配置し、屋根２３を構築した後、温風暖房機からの温暖な空気をパイプ２８を通して、融雪ダクト１の給気口２から供給し、融雪ダクト１を緊張状態に維持する。融雪ダクト１内の空気は排出口３から排出される。融雪水は融雪ダクト１の上面側の、ほぼ奥行きの中間部に設けた集水口（図示せず）から、集水口の下方に延びた排水樋（図示せず）を通って排水される。
【００３２】
本発明の第四は、第三の発明と比べて融雪ダクト１の中に、透明樹脂フィルム製のチューブ１１が留置され、温暖な空気がチューブ１１に供給され、チューブ１１の気体噴出口１３から、融雪ダクト１に噴出させる構成、工程を付加した点、融雪ダクト１に給気口が必須でない点で相違するが、その他は第三の発明と同じである。
【００３３】
本発明の第五は、透明樹脂フィルムで屋根２３を二重に構築した簡易建造物２２の屋根２３の谷部２４または軒に、第二の発明のチューブ１１を留置した融雪ダクト１を設置し、温暖な空気をチューブ１１の給気口１２からチューブ１１内に供給し、チューブ１１に設けた気体噴出口１３から融雪ダクト１内に噴出させて、融雪ダクト１に供給し、融雪ダクト１を緊張状態に維持しつつ、融雪ダクト１に供給された空気を、排気口から融雪ダクト１外に排出する。それとともに、屋根２３を構築する二重の透明樹脂フィルムの空間に、温暖な空気を別途給気口２９から導入し、該空間を緊張状態に維持し、ついで該空間内の空気は排気口３０から排出される。このように、簡易建造物２２の屋根２３および融雪ダクト１に温暖な空気を流通させ、簡易建造物２２の屋根２３および融雪ダクト１の上の雪を融解する融雪システム２１であり、これの１例を図７により説明する。
【００３４】
本体フレーム２５と屋根フレーム２６などから構築される連棟式ハウス（簡易構造物）２２において、本体フレーム（支柱）２５の周りに、屋根フレーム２６から地面に至る全面に透明樹脂フイルムを展張し、壁２７が構築される。また、屋根フレーム２６、すなわち際垂木、必要ならば垂木、母屋などの骨組みの上にも、透明樹脂フィルムを二重に展張して、屋根２３が構築される。そして傾斜して向い合う屋根の谷部２４の空間に、谷部２４の奥行きと同じ長さの第二の発明の、チューブ１１が留置された融雪ダクト１が配置される。
【００３５】
その際、融雪ダクト１から外側に延びた二枚の透明樹脂フイルムの端部ウイング４と、屋根２３を構成する透明樹脂フイルムの端部が重ね合わされ、図５に示すフィルム留め具４１，４２により接合され、屋根フレーム２６に固定される。これにより、屋根２３と融雪ダクト１は連続し、簡易建造物２２が構築されることは第三の発明と同様である。もちろん、簡易建造物２２の屋根２３は切妻型の連棟式に限らず、寄棟型、蒲鉾型連棟式の向い合う屋根２３であっても差し支えない。融雪ダクト１から延びた端部ウイング４と屋根２３を構成する透明樹脂フィルムとを溶着などにより接合してから屋根フレーム２６に固定してもよい。
【００３６】
上記のように融雪ダクト１を配置し、屋根２３を構築した後、温風暖房機からの温暖な空気をパイプ２８を通して、チューブ１１の給気口１２から供給し、チューブ１１を緊張状態に維持し、かつチューブ１１の周面の気体噴出口１３から融雪ダクト１内に噴出して、融雪ダクト１を緊張状態に維持する。融雪ダクト１内の空気は端部ウイング４の間隙から排出される。融雪水は融雪ダクト１の上面側のほぼ奥行きの中間部に設けた集水口（図示せず）から、集水口に下方に延びた排水樋（図示せず）を通って排水される。
【００３７】
本発明において、融雪ダクト１の給気口２またはチューブ１１の給気口１２における温暖な空気の温度は、５〜８０℃が好ましく、５〜６０℃がより好ましく、８〜５５℃が最も好ましい。融雪ダクト１を緊張状態に維持しつつ、排気口から空気を融雪ダクト１外に排出する。排気口付近の温度は、給気温度、その流量、外気温度、簡易建造物２２の室内温度などの影響を受ける。余りに低温であると、融雪効果が不十分となることがある。適切な融雪効果が得られるように、給気温度や流量を調節する。排気口付近の温度は、給気口２の温度より通常５〜８０℃低いことが好ましく、５〜６０℃低いことがより好ましく、８〜５５℃低いことが最も好ましい。
【００３８】
また、屋根２３を構成する二重の透明樹脂フィルムの空間にも、温風暖房機からの温暖な空気がパイプ２８を通して、給気口２９から直接供給される。該空間内の空気は排気口３０から排出される。もちろん、二重の透明樹脂フィルムによる空間を有する屋根２３を区分した場合には、分区の間に連通管３３が設置され、分区間を空気が流通できるようにするのが好ましく、その場合は、各分区に排気口３０を設けるのが好ましい。
【００３９】
次に、本発明の融雪ダクトおよび融雪システムの作用効果について説明する。透明樹脂フィルムで構成される切妻型、寄棟型、蒲鉾型などの傾斜屋根２３の上に堆積した雪は、温室内の植物の生育を促進するための暖房等により屋根との接触面から融け出し、屋根２３を滑り落ち、向い合う屋根２３の谷部２４の空間を埋める融雪ダクト１の上に堆積する。融雪ダクト１または融雪ダクト１内のチューブ１１には、温風暖房機などからの温暖な空気が連続的に供給され、融雪ダクト１またはチューブ１１および融雪ダクト１を緊張状態に維持する。その際、融雪ダクト１内の温暖な空気が、融雪ダクト１を構成する透明樹脂フィルムを介して、傾斜する屋根２３から滑落してきた雪に接するので、融雪ダクト１に堆積した雪を融解するものと考えられる。給気口２９の直径は、好ましくは１〜６０ｃｍ、より好ましくは４〜３０ｃｍである。排気口３０の直径は、好ましくは４〜８０ｍｍ、より好ましくは５〜４０ｍｍである。連通管３の直径は、好ましくは１〜６０ｃｍである。
【００４０】
融雪ダクト１またはチューブ１１に供給する温暖な空気の温度や、温暖な空気の流量を調節することにより、融雪の速度・量を調節することができる。融雪水は谷部２４の融雪ダクト１の上面に設けた集水口３１に向かい、集水口３１に連結した排水樋３２から温室内の地面に排水されることが好ましい。
【００４１】
屋根２３および／または融雪ダクト１の上に雪がない場合で、気温が相当に低い場合などには、融雪の時と同様に融雪ダクト１またはチューブ１１に温暖な空気を供給して、簡易構造物２２内の保温を融雪ダクト１、さらには屋根２３の方向から補助することができる。
【００４２】
さらに屋根２３を二重の樹脂フィルムで構築した場合には、融雪ダクト１のみならず、屋根２３をも、簡易構造物２２の室内を保温するための暖房温度より高温にすることができるので、あるいは簡易構造物２２の室内に送風する温暖な空気の温度・流量を低減できるので、室内保温の補助効果が大きくできる。
【００４３】
次に図７に基づく実施例により、本発明をより具体的に説明する。
本体フレーム２５と屋根フレーム２６などから構築される温室２２であり、正面の支柱間距離１２ｍ、奥行き６ｍ、棟高さ６．３ｍで、支柱２５同士の中間点に屋根２３の谷部２４があり、その屋根２３の傾斜角度が２０°の温室２２を、北海道樺戸郡浦臼町の農場で施工した。本体フレーム２５の周りに、屋根フレーム２６から地面に至る全面にＥＴＦＥフィルム（厚さ１００μｍ、旭硝子株式会社製、「エフクリーン」（登録商標））を展張し、壁２７を構築した。また、屋根フレーム（際垂木、垂木、母屋など）２６の骨組みの上には、ＥＴＦＥフィルムを二重に展張して、屋根２３を構築した。
【００４４】
向い合う屋根２３の谷部２４に、二枚のＥＴＦＥフィルムで構成した融雪ダクト１の端部ウイング４を、屋根２３を構成する二枚のＥＴＦＥフィルムの端部と重ね合わせ、重ね合わせ領域を図５に示すフィルム留め具４１，４２で挟持して、幅１０８ｃｍ、高さ４０ｃｍ、長さ６００ｃｍの融雪ダクト１を構成し、屋根フレーム２６に固定した。固定されてもなお透明樹脂フィルムの重ね合わせ領域には、間隙が形成された。融雪ダクト１の内部には、谷部２４の奥行きと同じ長さで直径１０ｃｍのチューブ１１を留置した。チューブ１１には、８０個／ｍ２になるような間隔で、直径１ｃｍの気体噴出口１３が設けられた。
【００４５】
次に、温風暖房機からの温暖な空気を直径５ｃｍのパイプ２８を通して、直径５ｃｍのチューブ１１の給気口１２から供給し、チューブ１１を緊張状態に維持し、かつチューブ１１の周面の気体噴出口１３から融雪ダクト１内に温暖な空気を噴出して、融雪ダクト１を緊張状態に維持した。融雪ダクト１内の空気は、重ね合わせた透明樹脂フィルムをフィルム留め具（図示せず）で挟持してもなお形成される間隙から、温室２１内に排出された。また、屋根２３を構成する二枚の透明樹脂フィルムの空間にも、温風暖房機からの温暖な空気をパイプ２８を通して直径５ｃｍの給気口２９から供給した。温暖な空気は、直径５ｃｍの連通管３３を通って屋根２３内全体へ行き渡った。そして、屋根２３内の空気は直径１ｃｍの排気口３０から排出された。
【００４６】
２００２年２月１日から同年４月５日までの約２か月間、チューブ１１内に絶えず温暖な空気を供給した。温暖な空気の温度は、給気口１２で４４．４℃±８．４℃、排気口１３で２９．４℃〜−１４．５℃、その流量は０．１ｍ３／ｍｉｎであった。屋根２３の二枚の透明樹脂フィルムの袋状の内側の空間に供給された温暖な空気の温度は、給気口２９で４４．４〜８．４℃、排気口３０で５２．５〜−０．３℃、その流量は０．１ｍ２／ｍｉｎであった。
【００４７】
その期間の総降雪量は２１７ｃｍであったが、屋根２３の上に降った雪は全て融解し、堆積しなかった。また、この期間中における１日当たりの最大降雪量は、３月４日の１６ｃｍであったが、同日（最高気温−１．１℃、最低気温−６．２℃）でも屋根２３および融雪ダクト１の上に降った雪は全て融解し、堆積しなかった。
【００４８】
【発明の効果】
本発明の融雪ダクトは、透明樹脂フィルム製であるから、例えば、連棟式温室の場合の屋根の谷部に設置しても、影を生じないので、植物の生育程度・速度に与える影響がない、また影がないため、温室内の耕地面積を最大限に活用することができる。また軽量であるため、地上数メートルでの施工の作業性が良好である。本発明の融雪ダクトは、谷部に堆積した雪で連棟式温室が倒壊しないように融雪することができる。加えて、透明樹脂フィルムとしてフッ素樹脂フィルムを用いると耐候性、耐紫外線性、機械的強度などが優れるので、透明樹脂フィルムの張替えの期間を十数年以上の長期間とすることができる。
【図面の簡単な説明】
【図１】本発明の融雪ダクトの１例を示す見取図。
【図２】本発明の融雪ダクトの他の１例を示す見取図。
【図３】本発明の融雪ダクトの他の１例を示す見取図。
【図４】本発明の融雪ダクトの他の１例を示す見取図。
【図５】本発明に使用されるフイルム留め具の１例を示す見取図。
【図６】本発明の融雪システムの１例を示す見取図。
【図７】本発明の融雪システムの他の１例を示す見取図。
【符号の説明】
１：　　　　融雪ダクト
２：　　　　給気口
３：　　　　排気口
４：　　　　ウイング
１１：　　　チューブ
１２：　　　チューブの給気口
１３：　　　気体噴出口
２２：　　　簡易建造物
２３：　　　屋根
２４：　　　谷部
２５：　　　本体フレーム
２６：　　　屋根フレーム
２７：　　　壁
２８：　　　パイプ
２９：　　　ダクトの給気口
３０：　　　ダクトの排気口
３１：　　　集水口
３２：　　　排水樋
３３：　　　連通管
４１、４２：フィルム留め具
【図１】
2004000061.tif 000003
【図２】
2004000061.tif 000004
【図３】
2004000061.tif 000005
【図４】
2004000061.tif 000006
【図５】
2004000061.tif 000007
【図６】
2004000061.tif 000008
【図７】
2004000061.tif 000009